【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
バルブカートリッジ室を有する本体と、
前記バルブカートリッジ室内にあるバルブカートリッジと、
前記バルブカートリッジ室につながるアクセスポートと、
前記本体と螺合するネジ山を有する一部が前記アクセスポートを通って延びるアダプタと、
前記アダプタにより形成され、前記本体の上方にあるヘッドを備え、
前記銃は、前記アダプタを更に締め付けることなく使用準備が整った操作可能状態にあり、
前記アダプタは、人が手でヘッドを握り、前記手で前記アダプタを回して緩めることで前記本体から取り外しが可能であり、
手工具に頼ることなく前記バルブカートリッジを手で取り外すことができることを特徴とするウォータージェットガンのアセンブリ。
【請求項２】
前記ヘッドの外径は、前記アダプタの前記ネジ部の外径の少なくとも１．５倍である請求項１記載のアセンブリ。
【請求項３】
バルブカートリッジ室を有する本体と、前記バルブカートリッジ室内のバルブカートリッジと、前記バルブカートリッジ室につながるアクセスポートと、前記本体に螺合するネジ山を有する一部が前記アクセスポートを通って延びるアダプタと、及び、前記アダプタにより形成され前記本体の上方にあるヘッドとを有し、前記アダプタを更に締め付けることなく使用準備が整った操作可能状態にあるウォータージェットガンを提供し、
人の手で前記ヘッドを握り、
前記手で前記アダプタを回して緩め、
前記アクセスポートから前記アダプタを取り外すことを特徴とするウォータージェットガンのアクセスポートからアダプタを取り外す方法。
【請求項４】
ウォータージェットガンの本体のバルブカートリッジ室にバルブカートリッジを挿入し、
前記バルブカートリッジ室内に開口する前記本体のアクセスポートにアダプタを差し込み、
前記アダプタを前記本体に螺合し、
手で前記アダプタのヘッドを握り、前記銃が前記アダプタを更に締め付けることなく使用準備が整った操作可能状態になるまで、前記手で前記アダプタを前記本体に締め付けることを特徴とするウォータージェットガンの使用方法。
【請求項５】
前記ウォータージェットガンは１５，０００ｐｓｉ以上の圧力を生成可能である請求項１記載のアセンブリ。
【請求項６】
前記手は平均的で健康な４５歳の女性の握力を有する手である請求項１記載のアセンブリ。
【請求項７】
前記バルブカートリッジ室に流体的に結合された給水導管を更に備える、請求項１記載のアセンブリ。
【請求項８】
（１）前記ウォータージェットガンのグリップをバレルに、又は（２）前記ウォータージェットガンの銃床を供給管に、調整可能に連結し、
切り欠き部を有し、（１）前記グリップに連結し、前記バレルと近接する、又は（２）前記銃床に連結し、前記供給管と近接するカムピンと、
前記カムピンに回転可能に連結するノブとを備える調整アセンブリを更に備える、請求項７記載のアセンブリ。
【請求項９】
前記ノブは外表面で囲まれた範囲の寸法であり、前記寸法は十分に大きく、最小の寸法の円で前記外表面を取り囲み、前記円が前記外表面の少なくとも１ヶ所と接する点を有する場合に、前記円の直径が少なくとも１．５インチである請求項８記載のアセンブリ。
【請求項１０】
前記カムピンは切り欠き部を有し、
前記切り欠き部は、
前記切り欠き部の端部から下向きに傾斜する下方傾斜面と、
前記切り欠き部の前記傾斜面とは反対側の端部にある弧面と、
前記カムピンの軸と平行であり、前記傾斜面と前記弧面の間に平行に延びる面を備える請求項８記載のアセンブリ。
【請求項１１】
前記カムピンの傾斜面は前記バレルに対して力を加え、前記ピンの前記傾斜面とは反対側の面はグリップに対して力を加え、前記力は、前記ウォーターガンの通常動作中において前記バレルに対し前記グリップを所定位置に保持するのに十分な強さである請求項１０記載のアセンブリ。
【請求項１２】
前記カムピンの傾斜面は前記供給管に対し力を加え、前記ピンの前記傾斜面とは反対側の面は前記銃床に対して力を加え、前記力は、前記ウォーターガンの通常動作中において前記銃床に対して前記銃床を所定位置に保持するのに十分な強さである請求項１０記載のアセンブリ。
【請求項１３】
前記グリップは、前記バレルの全長の一部に沿って前記グリップが前後に移動可能となる第１の方向を有し、
前記グリップは、前記バレルの全長の前記一部に沿って前記グリップが前後に移動できない第２の方向を有し、
前記グリップが第２の方向にあるとき、
前記ノブを握り、手で前記ノブを回す人が、前記グリップに連結した前記ピンから前記ノブを回して緩められる請求項８記載のアセンブリ。
【請求項１４】
前記銃床は、前記供給管の全長の一部に沿って前記銃床が前後に移動可能となる第１の方向を有し、
前記銃床は、前記供給管の全長の前記一部に沿って前記銃床が前後に移動できない第２の方向を有し、
前記銃床が第２の方向にあるとき、
前記ノブを握り、手で前記ノブを回す人が、前記銃床に連結した前記ピンから前記ノブを回して緩められる請求項８記載のアセンブリ。
【請求項１５】
前記ウォータージェットガンを、前記グリップが前記バレルの全長の一部に沿って前後に自由に移動しない方向に配置し、
前記グリップに連結したピンに連結したノブを握り、
前記ノブを握る手で前記ノブを回し、
前記手で前記グリップを動かすことを特徴とする、請求項８記載のウォータージェットガンの前記バレルに対して前記グリップを調整する方法。
【請求項１６】
前記ウォータージェットガンを、前記銃床が前記供給管の全長の一部に沿って前後に自由に移動しない方向に配置し、
前記銃床に連結したピンに連結したノブを握り、
前記ノブを握る手で前記ノブを回し、
前記手で前記銃床を動かすことを特徴とする、請求項８記載の前記ウォータージェットガンの前記供給管に対して前記銃床を調整する方法。
【請求項１７】
前記ノブを手で握るように構成された請求項８記載のアセンブリ。
【請求項１８】
前記手は平均的で健康な４５歳の女性の握力を有する手である請求項１３記載のアセンブリ。
【請求項１９】
前記手は平均的で健康な４５歳の女性の握力を有する手である請求項１４記載のアセンブリ。
【請求項２０】
（１）ウォータージェットガンのグリップをバレルに、又は（２）ウォータージェットガンの銃床を供給管に、調整可能に連結し、
切り欠き部を有し、（１）前記グリップに連結し、前記バレルと近接する、又は（２）前記銃床に連結し、前記供給管と近接するカムピンと、
前記カムピンに回転可能に連結するノブとを備え、第１の方向に前記ノブを回すと、前記ノブのネジ山によって、前記カムピンが軸方向に前記ノブに向かって移動し、前記第１の方向と反対の第２の方向に前記カムピンを回すと、前記カムピンが前記軸方向に前記ノブから離れるように移動する調整アセンブリ。
【請求項２１】
前記ノブは外表面で囲まれた範囲の寸法であり、前記寸法は十分に大きく、最小の寸法の円で前記外表面を取り囲み、前記円が前記外表面の少なくとも１ヶ所と接する点を有する場合に、前記円の直径が少なくとも１．５インチである請求項２０記載の調整アセンブリ。
【請求項２２】
前記カムピンは切り欠き部を有し、
前記切り欠き部は、
前記切り欠き部の端部から下向きに傾斜する下方傾斜面と、
前記切り欠き部の前記傾斜面とは反対側の端部にある弧面と、
前記カムピンの軸と平行であり、前記傾斜面と前記弧面の間に平行に延びる面を備える請求項２０記載の調整アセンブリ。
【請求項２３】
前記カムピンの傾斜面は前記バレルに対して力を加え、前記ピンの前記傾斜面とは反対側の面はグリップに対して力を加え、前記力は、前記ウォーターガンの通常動作中において前記バレルに対し前記グリップを所定位置に保持するのに十分な強さである請求項２２記載の調整アセンブリ。
【請求項２４】
前記カムピンの傾斜面は前記供給管に対し力を加え、前記ピンの前記傾斜面とは反対側の面は前記銃床に対して力を加え、前記力は、前記ウォーターガンの通常動作中において前記銃床に対して前記銃床を所定位置に保持するのに十分な強さである請求項２３記載の調整アセンブリ。
【請求項２５】
前記グリップは、前記バレルの全長の一部に沿って前記グリップが前後に移動可能となる第１の方向を有し、
前記グリップは、前記バレルの全長の前記一部に沿って前記グリップが前後に移動できない第２の方向を有し、
前記グリップが第２の方向にあるとき、
前記ノブを握り、手で前記ノブを回す人が、前記グリップに連結した前記ピンから前記ノブを回して緩められる請求項２０記載の調整アセンブリ。
【請求項２６】
前記銃床は、前記供給管の全長の一部に沿って前記銃床が前後に移動可能となる第１の方向を有し、
前記銃床は、前記供給管の全長の前記一部に沿って前記銃床が前後に移動できない第２の方向を有し、
前記銃床が第２の方向にあるとき、
前記ノブを握り、手で前記ノブを回す人が、前記銃床に連結した前記ピンから前記ノブを回して緩められる請求項２４記載の調整アセンブリ。
【請求項２７】
ウォータージェットガンを、グリップがバレルの全長の一部に沿って前後に自由に移動しない方向に配置し、
前記グリップに連結したピンに連結したノブを握り、
前記ノブを握る手で前記ノブを回し、
前記手で前記グリップを動かすことを特徴とするウォータージェットガンの前記バレルに対して前記グリップを調整する方法。
【請求項２８】
ウォータージェットガンを、銃床が供給管の全長の一部に沿って前後に自由に移動しない方向に配置し、
前記銃床に連結したピンに連結したノブを握り、
前記ノブを握る手で前記ノブを回し、
前記手で前記銃床を動かすことを特徴とするウォータージェットガンの供給管に対して銃床を調整する方法。
【手続補正２】
【補正対象書類名】明細書
【補正対象項目名】０００４
【補正方法】変更
【補正の内容】
【０００４】
【特許文献１】米国特許第５３４９９８２号明細書
【特許文献２】米国特許第５６３６７８９号明細書